(57)【要約】【課題】クローズドキャプションデータを正しく表示できるクローズドキャプション表示装置を提供する。【解決手段】クローズドキャプション表示装置は、データをサンプリングするデコード部１１と、表示処理部１２とを備える。表示処理部１２において、スタートビット判別部１２ａが、デコード部１１より取り込んだデータ中のクローズドキャプションデータのスタートビットのずれを判別すると、データ補正部１２ｂが、デコード部１１より取り込んだデータをビットシフトして補正することにより、クローズドキャプションデータを正しく表示する。【選択図】　図１
2004040230.tif 000002
【特許請求の範囲】
【請求項１】
データをサンプリングするデコード部と、
前記デコード部より取り込んだデータ中のクローズドキャプションデータのスタートビットのずれを判別するスタートビット判別部と、
前記スタートビット判別部によりスタートビットのずれが検出された場合に、前記デコード部より取り込んだデータをビットシフトして補正するデータ補正部とを備えたことを特徴とするクローズドキャプション表示装置。
【請求項２】
データをサンプリングするデコード部と、
前記デコード部より取り込んだデータ中のクローズドキャプションデータのスタートビットのずれを判別するスタートビット判別部と、
前記スタートビット判別部によりスタートビットのずれが検出された場合に、前記デコード部のサンプリングタイミングを前記スタートビット判別部の検出結果に応じて調整するサンプリングタイミング変更部とを備えたことを特徴とするクローズドキャプション表示装置。
【請求項３】
データをサンプリングするデコード部と、
前記デコード部より取り込んだデータ中のクローズドキャプションデータのパリティチェックを行うパリティチェック部と、
パリティチェックエラーの回数をカウントするエラー回数カウント部と、
前記パリティチェック部がクローズドキャプションデータのパリティチェックを所定回数行う毎に、当該所定回数のパリティチェックの間に前記エラー回数カウント部によりカウントされたパリティチェックエラー回数に応じて、前記デコード部のサンプリングタイミングを決定するサンプリングタイミング決定部を備えたことを特徴とするクローズドキャプション表示装置。
【請求項４】
前記デコード部より取り込んだデータ中のクローズドキャプションデータのパリティチェックを行うパリティチェック部と、
パリティチェックエラーの回数をカウントするエラー回数カウント部と、
前記パリティチェック部がクローズドキャプションデータのパリティチェックを所定回数行う毎に、当該所定回数のパリティチェックの間に前記エラー回数カウント部によりカウントされたパリティチェックエラー回数に応じて、前記デコード部のサンプリングタイミングを決定するサンプリングタイミング決定部をさらに備えた、請求項１に記載のクローズドキャプション表示装置。
【請求項５】
前記デコード部より取り込んだデータ中のクローズドキャプションデータのパリティチェックを行うパリティチェック部と、
パリティチェックエラーの回数をカウントするエラー回数カウント部と、
前記パリティチェック部がクローズドキャプションデータのパリティチェックを所定回数行う毎に、当該所定回数のパリティチェックの間に前記エラー回数カウント部によりカウントされたパリティチェックエラー回数に応じて、前記デコード部のサンプリングタイミングを決定するサンプリングタイミング決定部をさらに備えた、請求項２に記載のクローズドキャプション表示装置。
【請求項６】
前記スタートビット判別部によりスタートビットのずれが検出された場合に、前記デコード部のサンプリングタイミングを前記スタートビット判別部の検出結果に応じて調整するサンプリングタイミング変更部をさらに備えた、請求項４に記載のクローズドキャプション表示装置。
【請求項７】
データをサンプリングするデコード部と、
半固定抵抗と、
前記半固定抵抗の設定に応じて前記デコード部のサンプリングタイミングを調整するサンプリングタイミング設定部とを備えたことを特徴とするクローズドキャプション表示装置。
【請求項８】
デコード部よりサンプリングされたデータを取り込み、取り込んだデータ中のクローズドキャプションデータのスタートビットのずれを判別するスタートビット判別ステップと、
前記スタートビット判別ステップにおいてスタートビットのずれが検出された場合に、取り込んだデータをビットシフトして補正するデータ補正ステップとを含むクローズドキャプション表示処理を、コンピュータに実行させることを特徴とする、クローズドキャプション表示処理プログラム。
【請求項９】
デコード部よりサンプリングされたデータを取り込み、取り込んだデータ中のクローズドキャプションデータのスタートビットのずれを判別するスタートビット判別ステップと、
前記スタートビット判別ステップにおいてスタートビットのずれが検出された場合に、前記スタートビット判別ステップの検出結果に応じて前記デコーダのサンプリングタイミングを調整するサンプリングタイミング変更ステップとを含むクローズドキャプション表示処理を、コンピュータに実行させることを特徴とする、クローズドキャプション表示処理プログラム。
【請求項１０】
デコード部よりサンプリングされたデータを取り込み、取り込んだデータ中のクローズドキャプションデータのパリティチェックを行うパリティチェックステップと、
パリティチェックエラー回数をカウントするエラー回数カウントステップと、前記パリティチェックステップを所定回数行う毎に、当該所定回数のパリティチェックの間にカウントされたパリティチェックエラー回数に応じて、前記デコーダのサンプリングタイミングを決定するサンプリングタイミング決定ステップとを含むクローズドキャプション表示処理を、コンピュータに実行させることを特徴とするクローズドキャプション表示処理プログラム。
【請求項１１】
前記クローズドキャプション表示処理が、
前記デコード部より取り込んだデータ中のクローズドキャプションデータのパリティチェックを行うパリティチェックステップと、
パリティチェックエラー回数をカウントするエラー回数カウントステップと、
前記パリティチェックステップを所定回数行う毎に、当該所定回数のパリティチェックの間にカウントされたパリティチェックエラー回数に応じて、前記デコード部のサンプリングタイミングを決定するサンプリングタイミング決定ステップとをさらに含む、請求項８に記載のクローズドキャプション表示プログラム。
【請求項１２】
前記クローズドキャプション表示処理が、
前記デコード部より取り込んだデータ中のクローズドキャプションデータのパリティチェックを行うパリティチェックステップと、
パリティチェックエラー回数をカウントするエラー回数カウントステップと、
前記パリティチェックステップを所定回数行う毎に、当該所定回数のパリティチェックの間にカウントされたパリティチェックエラー回数に応じて、前記デコード部のサンプリングタイミングを決定するサンプリングタイミング決定ステップとをさらに含む、請求項９に記載のクローズドキャプション表示プログラム。
【請求項１３】
前記クローズドキャプション表示処理が、前記スタートビット判別ステップによりスタートビットのずれが検出された場合に、前記デコード部のサンプリングタイミングを前記スタートビット判別ステップの検出結果に応じて調整するサンプリングタイミング変更ステップをさらに含む、請求項１１に記載のクローズドキャプション表示プログラム。
【発明の詳細な説明】
【０００１】
【発明の属する技術分野】
本発明は、テレビ信号に重畳されたクローズドキャプション信号を正しく表示するための技術に関する。
【０００２】
【従来の技術】
ＴＶ分野において、クローズドキャプションの表示は必須の機能であるため、クローズドキャプションのデータ取り込みは、ＣＲＩ信号からサンプリングクロックの位相を決定する構成が一般的である。この構成では、サンプリングクロックの位相は自動的に調整される。しかしながら、ＶＴＲ分野においては、クローズドキャプションの表示は必ずしも必要ではないので、回路規模の縮小のため、図１１（ａ）に示すように、水平同期分離信号から規定値＋調整値の固定時間でサンプリングタイミングを決定する方式を用いたものが存在する。従来、水平同期分離信号１からクローズドキャプション信号２までの期間は固定であり、この方法での取り込みに問題が生じることはなかった。
【０００３】
【発明が解決しようとする課題】
しかしながら、近年、コピープロテクト信号の一方式として、ＣＲＩ信号のビット数が通常よりも少ないタイプのものが出てくるようになった。このような信号では、ＣＲＩビットが減少した分、水平同期分離信号からクローズドキャプション信号までの期間が短くなり、固定値のサンプリングタイミングと実際のクローズドキャプション信号との間に大きなずれが発生することになる（図１１（ｂ）参照）。そのため、水平同期分離信号から規定値のタイミングでサンプリングを行う方式では、このようなパターンの信号が入ってきた時にスタートビットが正しく取り込めないため、クローズドキャプションデータも正しく取込めず、誤った文字を表示したり、あるいは、文字を全く表示できないという問題を引き起こす。
【０００４】
本発明は、上記の問題に鑑み、クローズドキャプションデータを正しく表示できるクローズドキャプション表示装置を提供することを目的とする。
【０００５】
【課題を解決するための手段】
上記の問題を解決するために、本発明にかかるクローズドキャプション表示装置は、データをサンプリングするデコード部と、前記デコード部より取り込んだデータ中のクローズドキャプションデータのスタートビットのずれを判別するスタートビット判別部と、前記スタートビット判別部によりスタートビットのずれが検出された場合に、前記デコード部より取り込んだデータをビットシフトして補正するデータ補正部とを備えたことを特徴とする。
【０００６】
【発明の実施の形態】
本発明によれば、スタートビットのずれを検出した場合、サプリングされたデータをビットシフトさせることにより、スタートビットのずれを補正して、クローズドキャプションデータを正しく表示するクローズドキャプション表示装置を提供することが可能となる。なお、スタートビットとは、クローズドキャプションデータの開始位置を表すデータをいう。
【０００７】
なお、本発明にかかるクローズドキャプション表示装置は、データをサンプリングするデコード部と、前記デコード部より取り込んだデータ中のクローズドキャプションデータのスタートビットのずれを判別するスタートビット判別部と、前記スタートビット判別部によりスタートビットのずれが検出された場合に、前記デコード部のサンプリングタイミングを前記スタートビット判別部の検出結果に応じて調整するサンプリングタイミング変更部とを備えた構成であることも好ましい。
【０００８】
この構成では、スタートビットのずれの程度に応じてサンプリングタイミングを調整することにより、クローズドキャプションデータを正しく表示するクローズドキャプション表示装置を提供することが可能となる。
【０００９】
あるいは、本発明にかかるクローズドキャプション表示装置は、データをサンプリングするデコード部と、前記デコード部より取り込んだデータ中のクローズドキャプションデータのパリティチェックを行うパリティチェック部と、パリティチェックエラーの回数をカウントするエラー回数カウント部と、前記パリティチェック部がクローズドキャプションデータのパリティチェックを所定回数行う毎に、当該所定回数のパリティチェックの間に前記エラー回数カウント部によりカウントされたパリティチェックエラー回数に応じて、前記デコード部のサンプリングタイミングを決定するサンプリングタイミング決定部を備えた構成であることも好ましい。
【００１０】
この構成では、例えばＶＴＲテープの劣化などによりパリティエラーが生じる場合でも、クローズドキャプションデータを正しく表示することが可能なクローズドキャプション表示装置を提供することが可能となる。
【００１１】
また、本発明にかかるクローズドキャプション表示装置は、データをサンプリングするデコード部と、半固定抵抗と、前記半固定抵抗の設定に応じて前記デコード部のサンプリングタイミングを調整するサンプリングタイミング設定部とを備えた構成であってもよい。この構成によれば、クローズドキャプションデータを正しく表示することが可能なクローズドキャプション表示装置をより安価に提供できる。
【００１２】
以下に、図面を参照しながら、本発明の具体的な実施形態を説明する。
【００１３】
クローズドキャプション信号は、垂直帰線期間の２１ライン目に重畳され、一度のクローズドキャプション信号データは、ブランキング区間２ビットと、スタートビット１ビットと、クローズドキャプションデータ１６ビットから構成される。以下の実施形態では、ブランキング区間２ビットとスタートビット１ビットの計３ビットをまとめて、スタートビットとよぶ。
【００１４】
（第１の実施形態）
図１は、第１の実施形態にかかるクローズドキャプション表示装置の機能ブロック図である。
【００１５】
図１に示すように、本実施形態のクローズドキャプション表示装置は、サンプリングを行うデコード部１１と、サンプリングしたキャプションデータを画面に表示するための処理を行う表示処理部１２とを備えている。本実施形態は、デコード部１１をハードウェア回路で実現し、表示処理部１２を、所定のプログラムに従って動作するマイコンにより実現する例である。
【００１６】
以下、本クローズドキャプション表示装置の動作を説明する。本クローズドキャプション表示装置では、サンプリングタイミングは調整せず、デコードしたデータを加工する。
【００１７】
まず、デコード部１１が、クローズドキャプション信号のサンプリングを行い、サンプリングしたキャプション信号を、表示処理部１２へ送る。
【００１８】
表示処理部１２では、スタートビット判定部１２ａが、取り込んだキャプション信号のスタートビットが正常なスタートビットを示す”００１”であるかを判定する。
【００１９】
スタートビットが”００１”のときは、正しいタイミングでクローズドキャプションが取り込めているので、パリティチェック部１２ｃでパリティエラーチェックを行い、パリティエラーでなければ、表示部１２ｅで表示を行う。パリティエラーの場合は、エラー処理部１２ｄが、取り込んだキャプションデータをダミーデータに変更する。
【００２０】
スタートビット判定部１２ａが、スタートビットが”００１”ではなく、”０１０”または”０１１”であると判断した場合は、サンプリングが１ビット分左にずれているので、データ補正部１２ｂが、図２に示すように、取り込みデータ全体を１ビット右にシフトすると共に先頭に”０”を付加することにより、スタートビットが”００１”となるように補正を行う。その上でパリティチェック部１２ｃがパリティチェックを行い、パリティエラーでなければ正しいクローズドキャプション信号が取り込めたと判断し、表示部１２ｅで表示を行う。
【００２１】
なお、スタートビット判定部１２ａにより、スタートビットが”００１”、”０１０”、または”０１１”のいずれでもないと判断された場合は、サンプリングデータ破棄部１２ｆにより、サンプリングデータを破棄する。
【００２２】
以上のように、本実施形態によれば、スタートビットが１ビットずれたクローズドキャプションデータを自動的に補正することができる。
【００２３】
（第２の実施形態）
図３は、第２の実施形態にかかるクローズドキャプション表示装置の機能ブロック図である。
【００２４】
図３に示すように、本実施形態のクローズドキャプション表示装置は、サンプリングを行うデコード部１１と、サンプリングしたキャプションデータを画面に表示するための処理を行う表示処理部２２とを備えている。
【００２５】
本実施形態のクローズドキャプション表示装置では、スタートビットの判別により、キャプションデータのサンプリングタイミングの調整を行う。
【００２６】
まず、デコード部１１が、クローズドキャプション信号のサンプリングを行い、サンプリングしたキャプション信号を、表示処理部２２へ送る。
【００２７】
表示処理部２２では、スタートビット判定部２２ａが、取り込んだキャプション信号のスタートビットを判定する。スタートビットが”１００”，”１０１”，”１１０”，”１１１”のいずれかであった時は、ＣＲＩ信号を取り込んでしまっていると判断される。この状態が規定回数以上連続した場合、図４（ａ）に示すように、サンプリングタイミング変更部２２ｂが、サンプリングクロックの位相を規定値分大きくしてサンプリングタイミングを遅くする。
【００２８】
スタートビットが”０００”であった時は、ＣＲＩとスタートビットとの間のデータを取り込んでいると判断される。この状態が規定回数以上続いた場合、図４（ｂ）に示すように、サンプリングタイミング変更部２２ｂが、サンプリングクロックを規定値分大きくしてサンプリングタイミングを遅くする。
【００２９】
なお、パリティチェック部２２ｃ、エラー処理部２２ｄ、表示部２２ｅ、サンプリングデータ破棄部２２ｆによる処理は、第１の実施形態にかかるパリティチェック部１２ｃ、エラー処理部１２ｄ、表示部１２ｅ、サンプリングデータ破棄部１２ｆのそれぞれにおける処理と同様である。
【００３０】
以上のように、本実施形態によれば、スタートビットの１ビット以内のずれを自動調整することができる。
【００３１】
（第３の実施形態）
スタートビットのずれがなく、クローズドキャプションデータを正しく取り込めた場合でも、ＶＴＲテープの劣化などによりクローズドキャプションデータがパリティエラーとなり、クローズドキャプションデータを表示できない場合が存在する。本実施形態のクローズドキャプション表示装置は、クローズドキャプションデータを規定回数取り込み、取り込んだ信号のパリティエラー回数に応じたサンプリングタイミング調整を行う構成である。
【００３２】
このため、本クローズドキャプション表示装置は、図５に示すように、デコード部１１および表示処理部３２を有し、表示処理部３２は、パリティチェック部３２ｃ、エラー処理部３２ｄ、エラー回数カウント部３２ｇ、チェック回数カウント部３２ｈ、サンプリングタイミング決定部３２ｉ、および、表示部３２ｅを有する。
【００３３】
パリティチェック部３２ｃ、エラー処理部３２ｄ、表示部３２ｅによる処理は、第１の実施形態で説明したパリティチェック部１２ｃ、エラー処理部１２ｄ、表示部１２ｅによるそれぞれの処理と同様である。
【００３４】
エラー回数カウント部３２ｇは、パリティエラー回数をカウントする。チェック回数カウント部３２ｈは、パリティチェックを行った回数をカウントする。サンプリングタイミング決定部３２ｉは、パリティチェックの回数が所定の回数に達する毎に、その所定回数のパリティチェックの間に生じたパリティエラーの回数に応じて、サンプリングタイミングの調整を行う。
【００３５】
なお、前記の「所定の回数」は、多すぎると調整時間が長くなる。反対に、少なすぎると、サンプリング効果が小さくなって、パリティエラー回数に応じてサンプリングクロックの位相調整幅を変化させることができなくなるだけでなく、収束しないことも予想される。本実施形態では、前記所定の回数を８回（約２５０ｍｓ）に設定したが、前記所定回数の適正値は周辺回路等にも影響されるので、実施にかかるクローズドキャプション表示装置の仕様に合わせて適宜設定すればよい。
【００３６】
サンプリングタイミング決定部３２ｉは、パリティエラーの回数が所定の回数以上であったときは、位相が大きくずれていると判断し、サンプリングクロックの位相を規定時間、遅くまたは早くして取り込みを再開する。パリティエラーの回数が所定の回数以下で０でないときも、サンプリングクロックの位相がずれていると判断して位相の調整を行うが、前記した位相のずれが大きい場合よりも調整の幅を小さくする。パリティエラー回数が０の時は、サンプリングクロックの位相の変更は行わない。このようにサンプリングクロックの位相を調整することにより、図６に示すように、スタートビットの取り込み位置を最適化することができる。
【００３７】
サンプリングクロックの位相調整は、最初に位相を早くする方向に初期化しておく。ただし、遅くする方向に初期化しておいても構わない。前回サンプリングクロックの位相を変更した時のパリティエラー回数をメモリ（図示せず）に記憶しておき、今回のカウントでのパリティエラー回数と比較して、前回よりも今回のパリティエラー回数が増えていたら、サンプリングクロックの増減方向を反転する（例えば、最初に位相を早くする方向に初期化しておいた場合は、遅くする方向に反転する）。
【００３８】
以上のように、本実施形態によれば、パリティエラーの原因となる１ビット以内のずれを自動調整することができる。
【００３９】
（第４の実施形態）
本発明にかかる第４の実施形態は、図７に示すように、第１の実施形態と第３の実施形態を組み合わせた構成である。
【００４０】
本実施形態のクローズドキャプション表示装置では、デコード部１１が取り込んだスタートビットにずれがあった場合は、表示処理部４２において、スタートビット判定部１２ａがこれを検出し、データ補正部１２ｂが図２に示したようにビットシフトを行うことにより、取り込んだキャプションデータの１ビット分のずれを補正する。これと共に、サンプリングタイミング決定部３２ｉが、第３の実施形態で説明したように、エラー回数カウント部３２ｇでカウントされたパリティエラーの回数に応じて、サンプリングクロックの位相を調整することにより、１ビット以内のずれを補正する。
【００４１】
従って、本クローズドキャプション表示装置は、クローズドキャプションデータにおける２ビット以内のずれを自動調整することが可能となる。
【００４２】
（第５の実施形態）
本発明にかかる第５の実施形態は、図８に示すように、第２の実施形態と第３の実施形態を組み合わせた構成である。
【００４３】
本実施形態のクローズドキャプション表示装置では、デコード部１１が取り込んだスタートビットにずれがあった場合は、表示処理部５２において、スタートビット判定部２２ａがこれを検出し、サンプリングタイミング変更部２２ｂが図４（ａ）および（ｂ）に示したようにサンプリングタイミングを調整することにより、取り込んだキャプションデータの１ビット以内のずれを補正する。これと共に、サンプリングタイミング決定部３２ｉが、第３の実施形態で説明したように、パリティエラーの回数に応じて、サンプリングクロックの位相を調整することにより、１ビット以内のずれを補正する。
【００４４】
いずれもサンプリングタイミングによって調整するため、本クローズドキャプション表示装置は、クローズドキャプションデータにおける１ビット以内のずれを自動調整することが可能である。
【００４５】
（第６の実施形態）
本発明にかかる第６の実施形態は、図９に示すように、第１の実施形態、第２の実施形態、および第３の実施形態を全て組み合わせた構成である。
【００４６】
この構成において、まず、デコード部１１が、クローズドキャプション信号のサンプリングを行い、サンプリングしたキャプション信号を表示処理部６２へ送る。
【００４７】
表示処理部６２では、スタートビット判定部２２ａがスタートビットの判定を行い、取り込んだスタートビットにずれがあった場合は、ずれに応じて第１の実施形態で説明したビットシフトまたは第２の実施形態で説明したサンプリングタイミングの変更により、ずれを補正する。
【００４８】
これと共に、サンプリングタイミング決定部３２ｉが、第３の実施形態で説明したように、パリティエラーの回数に応じて、サンプリングクロックの位相を調整することにより、１ビット以内のずれを補正する。
【００４９】
前述したように、第２の実施形態および第３の実施形態のそれぞれは、サンプリングタイミング変更部２２ｂまたはサンプリングタイミング決定部３２ｉでのサンプリングクロックの位相調整により、１ビット以内のずれが補正できる。これに第１の実施形態で説明したビットシフトを組み合わせることにより、本実施形態のクローズドキャプション表示装置は、クローズドキャプションデータにおける２ビット以内のずれを自動調整することが可能となる。
【００５０】
（第７の実施形態）
本発明にかかる第７の実施形態は、図１０に示すように、半固定抵抗８１、Ａ／Ｄ変換部８２、および、サンプリングタイミング設定部８３を備えている。半固定抵抗８１を用いて手動で設定された抵抗値は、Ａ／Ｄ変換部８２でディジタル変換されてサンプリングタイミング設定部８３へ送られる。サンプリングタイミング設定部８３は、設定された抵抗値に応じて、クローズドキャプションのサンプリングタイミングを変更する。これにより、ＲＯＭの必要量が少ない構成で、第２、第３、第５の実施形態と同じ調整ができる。
【００５１】
以上の実施形態では、スタートビットの例として”００１”を用いたが、スタートビットのビット数や値はこれに限定されない。
【００５２】
【発明の効果】
以上のように、本発明によれば、クローズドキャプションデータを正しく表示できるクローズドキャプション表示装置を提供することが可能になる。
【図面の簡単な説明】
【図１】第１の実施形態にかかるクローズドキャプション表示装置の構成を示すブロック図
【図２】ビットシフトによるサンプリングデータの補正を表す図
【図３】第２の実施形態にかかるクローズドキャプション表示装置の構成を示すブロック図
【図４】第２の実施形態におけるサンプリングタイミングの調整例を示す図であって、（ａ）は、スタートビットのサンプリング値が”１ｘｘ”となる場合、（ｂ）は、スタートビットのサンプリング値が”０００”となる場合
【図５】第３の実施形態にかかるクローズドキャプション表示装置の構成を示すブロック図
【図６】第３の実施形態におけるサンプリングクロック位相の調整例を示す図
【図７】第４の実施形態にかかるクローズドキャプション表示装置の構成を示すブロック図
【図８】第５の実施形態にかかるクローズドキャプション表示装置の構成を示すブロック図
【図９】第６の実施形態にかかるクローズドキャプション表示装置の構成を示すブロック図
【図１０】第７の実施形態にかかるクローズドキャプション表示装置の構成を示すブロック図
【図１１】垂直帰線期間２１ライン目の信号波形であって、（ａ）は通常のクローズドキャプション信号の波形図、（ｂ）はＣＲＩが１ビット少なくなった時のクローズドキャプション信号の波形図
【符号の説明】
１１　　　　デコード部
１２　　　　表示処理部
１２ａ　　　スタートビット判定部
１２ｂ　　　データ補正部
１２ｃ　　　パリティチェック部
１２ｄ　　　エラー処理部
１２ｅ　　　表示部
１２ｆ　　　サンプリングデータ破棄部
２２　　　　表示処理部
２２ａ　　　スタートビット判定部
２２ｂ　　　サンプリングタイミング変更部
２２ｃ　　　パリティチェック部
２２ｄ　　　エラー処理部
２２ｅ　　　表示部
２２ｆ　　　サンプリングデータ破棄部
３２　　　　表示処理部
３２ｃ　　　パリティチェック部
３２ｄ　　　エラー処理部
３２ｇ　　　エラー回数カウント部
３２ｈ　　　チェック回数カウント部
３２ｉ　　　サンプリングタイミング決定部
３２ｅ　　　表示部
４２　　　　表示処理部
５２　　　　表示処理部
６２　　　　表示処理部
７２　　　　表示処理部
８１　　　　半固定抵抗
８２　　　　Ａ／Ｄ変換部
８３　　　　サンプリングタイミング設定部
【図１】
2004040230.tif 000003
【図２】
2004040230.tif 000004
【図３】
2004040230.tif 000005
【図４】
2004040230.tif 000006
【図５】
2004040230.tif 000007
【図６】
2004040230.tif 000008
【図７】
2004040230.tif 000009
【図８】
2004040230.tif 000010
【図９】
2004040230.tif 000011
【図１０】
2004040230.tif 000012
【図１１】
2004040230.tif 000013